(57)【要約】【課題】安価で取り扱いが簡単なホルムアルデヒト検出装置を搭載した空気清浄機を提供する。【解決手段】ガス検出装置２０を、枠体２１ａに試薬を含浸させた検知紙２１ｂを貼着した検出部２１と、前面を開放して空気の取入口２２ａを形成し、下面に第二仕切板１３の排出孔１３ａと対応する通風孔２２ｂを備えた箱体からなり、上部区画１５内を前後に摺動する検出ホルダ２２と、同検出ホルダ２２を上部区画１５内の所定の位置に係止するための係止部２３と、上部区画１５内の後方より前方に向かって検出ホルダ２２を押圧するバネ２４と、検出ホルダ２２の背面とバネ２４との間に配設されて前後に摺動し、検出ホルダ２２が上部区画１５の所定の位置に装着された時、排出孔１３ａを塞いでいた下面が後方に移動して排出孔１３ａを開放する板状の押圧板２５とで構成する。【選択図】  図２
2004239536.tif 000002
【特許請求の範囲】
【請求項１】
本体の前面に吸込口を、上面に吹出口を設け、同本体内を吸入孔を穿設した仕切板により前後に区画するとともに、後部区画に前記吸入孔に臨むように送風ファンを設けると共に、前部区画を排出孔を穿設した第二仕切板により上下に区画し、下部区画に前記吸込口から流入する空気中の塵埃あるいは臭気を吸着する集塵フィルターを配設する一方、
上部区画に、本体前面に設けた取入口と前記第二仕切板に設けた排出孔とを結ぶ空気通路を設け、同空気通路中に、化学反応による色の変化で空気中の有害ガスを検出するガス検出装置を設けてなることを特徴とする空気清浄機。
【請求項２】
前記ガス検出装置は、枠体に有害ガスを検出する試薬を含浸させた検知紙を貼着した検出部と、前面を開放して前記取入口を形成し、下面に前記第二仕切板の排出孔と対応する通風孔を備えた箱体からなり、前記上部区画内を前後に摺動する検出ホルダと、同検出ホルダを前記上部区画内の所定の位置に係止するための係止部と、前記上部区画内の後方より前方に向かって前記検出ホルダを押圧するバネと、前記検出ホルダの背面と前記バネとの間に配設されて前後に摺動し、前記検出ホルダが前記上部区画に装着された時に、前記排出孔を塞いでいた下面が後方に移動して前記排出孔を開放する板状の押圧板とからなることを特徴とする請求項１記載の空気清浄機。
【請求項３】
前記検出ホルダは、前記検出ホルダの上下面または側面に前記検出部を挿入するための挿通孔を備え、前記検出部が前記検出ホルダに着脱自在にしてなることを特徴とする請求項２記載の空気清浄機。
【請求項４】
前記係止部は、前記検出ホルダの上下面または側面に設けた係合穴と、前記上部区画に設けられて前記係合穴と対応し、ソレノイドの通電により前記係合穴との係止が解除される係止爪とからなることを特徴とする請求項１記載の空気清浄機。
【請求項５】
前記検出部は、検出紙の反応色と対応し、概略の前記ガス濃度を示す色見本を備えてなることを特徴とする請求項１記載の空気清浄機。
【発明の詳細な説明】
【０００１】
【発明の属する技術分野】
本発明は、ホルムアルデヒド検出器に係わり、より詳細には、室内のホルムアルデヒドを試薬により検出する検出構造を備えた空気清浄機に関する。
【０００２】
【従来の技術】
従来、空気清浄機は、例えば図４（Ａ）の外観斜視図に示す外観をしており、図４（Ｂ）はその断面図を示している。
この空気清浄機は、縦長状に形成された本体の前面に吸込口８１を、本体の上面に風向変更板を備えた吹出口８２を夫々設け、前面上部に、強弱運転等の運転状態と、室内の汚れ状態等を表示する表示部８３を設けている。本体は、図４（Ｂ）の断面図で示すように、吸込口８１の裏面に、吸込まれた空気に含まれる塵埃あるいは臭気を吸着する複数のフィルタ８４を設け、その背面に、清浄化された空気を吹出口８２から再び室内に送出する、ファンモータ８６により駆動される送風ファン８５を設けている。
ところで、室内には埃や花粉などの他に、家具や床、壁紙などから発せられる有害なガスが存在し、所謂シックハウスが近年問題化している。中でもホルムアルデヒドは人体に有害であり、これを簡単に検出する一つの方法として、以下の方法がある。
多孔質の検出紙に硫酸ヒドロキシルアミンと、硫酸に対して反応するメチルイエロを含浸させ、この検出紙にホルムアルデヒドを含む空気を通過させる。このとき化学反応が発生し、硫酸ヒドロキシルアミンが硫酸に変化する。この硫酸がメチルイエロと反応し、結果的にホルムアルデヒドの濃度が反応痕として表される。そして、この反応痕に発光ダイオードの光を照射し、反射光をフォトダイオードで読み取ることにより、濃度を電気的に検出する（特許文献１参照。）。
【０００３】
しかしながら、このような検出方法や装置は、主として検査装置として用いられており、安価で取り扱いが簡単なホルムアルデヒド検出装置を搭載した、一般家庭用の脱臭器や空気清浄器が望まれていた。
【０００４】
【特許文献１】
特開平７−２２９８８９号公報  （第２−３頁、第１図）
【０００５】
【発明が解決しようとする課題】
本発明は以上述べた問題点を解決し、安価で取り扱いが簡単なホルムアルデヒド検出装置を搭載した空気清浄機を提供することを目的としている。
【０００６】
【課題を解決するための手段】
本発明は、上記問題点を解決するため、本体の前面に吸込口を、上面に吹出口を設け、同本体内を吸入孔を穿設した仕切板により前後に区画するとともに、後部区画に前記吸入孔に臨むように送風ファンを設けると共に、前部区画を排出孔を穿設した第二仕切板により上下に区画し、下部区画に前記吸込口から流入する空気中の塵埃あるいは臭気を吸着する集塵フィルターを配設する一方、
上部区画に、本体前面に設けた取入口と前記第二仕切板に設けた排出孔とを結ぶ空気通路を設け、同空気通路中に、化学反応による色の変化で空気中の有害ガスを検出するガス検出装置を設ける。
【０００７】
また、前記ガス検出装置は、枠体に有害ガスを検出する試薬を含浸させた検知紙を貼着した検出部と、前面を開放して前記取入口を形成し、下面に前記第二仕切板の排出孔と対応する通風孔を備えた箱体からなり、前記上部区画内を前後に摺動する検出ホルダと、同検出ホルダを前記上部区画内の所定の位置に係止するための係止部と、前記上部区画内の後方より前方に向かって前記検出ホルダを押圧するバネと、前記検出ホルダの背面と前記バネとの間に配設されて前後に摺動し、前記検出ホルダが前記上部区画に装着された時に、前記排出孔を塞いでいた下面が後方に移動して前記排出孔を開放する板状の押圧板とからなる構造とする。
【０００８】
また、前記検出ホルダは、前記検出ホルダの上下面または側面に前記検出部を挿入するための挿通孔を備え、前記検出部が前記検出ホルダに着脱自在にしてなる構造とする。
【０００９】
また、前記係止部は、前記検出ホルダの上下面または側面に設けた係合穴と、前記上部区画に設けられて前記係合穴と対応し、ソレノイドの通電により前記係合穴との係止が解除される係止爪とからなる構造とする。
【００１０】
また、前記検出部は、検出紙の反応色と対応し、概略の前記ガス濃度を示す色見本を備えてなる構造とする。
【００１１】
【発明の実施の形態】
以下、図面に基づいて本発明による空気清浄機を詳細に説明する。
図１（Ａ）は本発明による空気清浄機の一実施例を示す外観斜視図であり、図１（Ｂ）はその断面図を示している。
この空気清浄機は、縦長状に形成された本体の前面に吸込口１を、本体の上面に風向変更板を備えた吹出口２を夫々設け、前面上部に、強弱運転等の運転状態と、室内の汚れ状態等を表示する表示部３を設けている。
本体は、図１（Ｂ）の断面図で示すように、本体内を吸入孔１０ａを穿設した仕切板１０により前後に区画するとともに、後部区画１１に吸入孔１０ａに臨むように送風ファン５と、これを駆動するファンモータ６とを備えている。
さらに、前部区画１２を第二仕切板１３により上下に区画し、下部区画１４の吸込口１の裏面に、吸込まれた空気に含まれる塵埃あるいは臭気を吸着する集塵フィルター４を配設する。また、上部区画１５には、化学反応による色の変化で空気中の有害ガスを検出するガス検出装置（図示せず）を設けている。
室内の空気は図１（Ｂ）の矢印で示すように、吸込口１から集塵フィルター４を通過し、清浄化された空気が吹出口２から再び室内に送出される。
【００１２】
本願の特徴であるホルムアルデヒドを検出するガス検出装置は、空気清浄機の上部区画１５に備えられている。この上部区画１５の詳細な要部断面図を図２に示す。
このガス検出装置２０は、枠体２１ａに有害ガスを検出する試薬を含浸させた検知紙２１ｂを貼着した検出部２１と、前面を開放して空気の取入口２２ａを形成し、下面に第二仕切板１３の排出孔１３ａと対応する通風孔２２ｂを備えた箱体からなり、上部区画１５内を前後に摺動する検出ホルダ２２と、同検出ホルダ２２を上部区画１５内の所定の位置に係止するための係止部２３と、上部区画１５内の後方より前方に向かって検出ホルダ２２を押圧するバネ２４と、検出ホルダ２２の背面とバネ２４との間に配設されて前後に摺動し、検出ホルダ２２が上部区画１５の所定の位置に装着された時、排出孔１３ａを塞いでいた下面が後方に移動して排出孔１３ａを開放する板状の押圧板２５とから構成されている。
この押圧板２５の下面と対向する面には、光センサ２６が埋設されており、検出ホルダ２２が所定の位置に摺動した時に、押圧板２５が光センサ２６の上方に位置することが検出される。
【００１３】
図３の斜視図に示すように検出ホルダ２２は、検出ホルダ２２の上面に検出部２１を挿入するための挿通孔２２ｃを備えており、検出部２１が検出ホルダ２２に着脱自在となる構造になっている。このため、挿通孔２２ｃと対応する検出ホルダ２２の内面には、検出部２１がスライドして挿入される溝２２ｄが設けられている。
【００１４】
検出部２１は、枠体２１ａに有害ガスであるホルムアルデヒドを検出する試薬を含浸させた検知紙２１ｂを貼着した構造となっている。
検知紙２１ｂは、多孔質の紙に硫酸ヒドロキシルアミンと、硫酸に対して反応するメチルイエロとを含浸させて作成されており、検知紙２１ｂを通過する空気内に含まれるホルムアルデヒドにより化学反応が発生し、硫酸ヒドロキシルアミンが硫酸に変化する。この硫酸がメチルイエロと反応し、ホルムアルデヒドの濃度が反応痕として表われる。
保存状態の検出部２１は、この反応を発生させないため、枠体２１ａの表および裏面に空気を遮断するフイルム２１ｃが張り付けられている。従って測定開始直前にこのフイルム２１ｃを剥がしてから、検出部２１を検出ホルダ２２の挿通孔２２ｃに挿入して装着する。
また、検出部２１は、検知紙２１ｂの反応色と対応して、ホルムアルデヒドのガス濃度を示す印刷された色見本２１ｄを検出部２１の前面脇に備えている。この例では、０〜０．０２５ｐｐｍ、０．０２５〜０．０５ｐｐｍ、０．０５〜０．０７５ｐｐｍ、０．０７５〜０．１ｐｐｍの４段階のガス濃度が印刷された色見本２１ｄと、測定後の検知紙２１ｂの反応色とを目視により比較することにより、概略の濃度を知ることができる。なお、印刷された色見本２１ｄには、上記４段階のガス濃度と対応して、２５、５０、７５、１００と表示している。
【００１５】
図２に示すように係止部２３は、検出ホルダ２２の下面に設けた係合穴２２ｅと、係合穴２２ｅと対応した係止爪２３ｂと、第二仕切板１３の上面に固定されたソレノイド２３ａと、ソレノイド２３ａと係止爪２３ｂとの間に配設されたスプリング２３ｃとで構成されている。
係止爪２３ｂの一端は軸支されており、他端はソレノイド２３ａの先端に軸支されている。従って係止爪２３ｂは、ソレノイド２３ａが非通電状態の時にスプリング２３ｃの押圧により、上方へ回動して係合穴２２ｅと嵌合し、ソレノイド２３ａが通電状態の時に下方に回動して係合穴２２ｅとの係止が解除される構造となっている。
【００１６】
以上の構成において、つぎにその動作を説明する。
図３に示すように、まず検出部２１のフイルム２１ｃを剥がし、検出ホルダ２２に装着する。そして図２に示すように、上部区画１５の前方から検出ホルダ２２を差し入れる。検出ホルダ２２が所定の位置に達すると、検出ホルダ２２が差し込まれる以前には点線に位置にあった押圧板２５が、検出ホルダ２２の背面に押されて図の位置まで後退する。同時に係止部２３の係止爪２３ｂと係合穴２２ｅとが係止状態となり、検出ホルダ２２は上部区画１５の内部に固定された状態となる。
【００１７】
押圧板２５が後退すると、押圧板２５が光センサ２６の上方に位置することが制御部（図示せず）で検出され、ホルムアルデヒドが検知紙２１ｂの試薬と十分に反応する所定時間、例えば５分間の間、送風ファン５を回転させる。なお、この時間は検出対象の空気の容量に反比例するため、送風ファン５の回転数を考慮して制御部が決定する。
検出ホルダ２２が上部区画１５の内部に固定された状態になると、前述のように押圧板２５が、図の位置まで後退している。従って、検出ホルダ２２の取入口２２ａから検出部２１の検知紙２１ｂ、検出ホルダ２２の通風孔２２ｂ、第二仕切板１３の排出孔１３ａまで、図２の矢印で示す検出対象空気の流れができる。検出済の空気は、矢印で示す清浄対象の空気の流れと合流し、吹出口２から再び室内に送出される。
【００１８】
所定時間が経過すると制御部は、ソレノイド２３ａを通電状態とし、係止部２３の係止を外す。すると、押圧板２５が検出ホルダ２２の背面を前方に押し出し、検出ホルダ２２を図２の点線で示す位置まで押し戻す。すると押圧板２５が第二仕切板１３の排出孔１３ａを塞いだ状態となり、検出対象空気の流れが遮断される。
また、この状態は検出ホルダ２２の上面の挿通孔２２ｃが上部区画１５から露出した状態であり、再度検査を行なう場合に、検出ホルダ２２を取り外すことなく、検出部２１を交換することができる。
このような構造により、検出ホルダを押し込む動作とガス検出用の空気通路の切換とを１つの動作で行なうことができる。また、検出ホルダの係止が解除された時に、検出ホルダの前面が所定の寸法だけ突出するため、検査の終了を目視で確認することができる。
また、検出ホルダの所定位置への固定と制御部が決定する所定時間での解除が簡単な構造で実現できる。
【００１９】
取り出した検出部２１は、測定後の検知紙２１ｂの反応色と色見本２１ｄとを目視により比較することにより、概略のホルムアルデヒドのガス濃度を簡単に知ることができる。
以上のような構造により、安価で取り扱いが簡単なホルムアルデヒド検出装置を搭載した空気清浄機とすることができる。
【００２０】
【発明の効果】
以上説明したように、本発明による空気清浄機によれば、請求項１に係わる発明は、上部区画に、前面より空気を吸入する取入口と空気を下部区画に排出する排出孔との空気通路中に、化学反応による色の変化で空気中の有害ガスを検出するガス検出装置を設けることにより、安価で取り扱いが簡単なホルムアルデヒド検出装置を搭載した空気清浄機とすることができる。
【００２１】
請求項２に係わる発明は、ガス検出装置を、枠体に有害ガスを検出する試薬を含浸させた検知紙を貼着した検出部と、前面を開放して取入口を形成し、下面に第二仕切板の排出孔と対応する通風孔を備えた箱体からなり、上部区画内を前後に摺動する検出ホルダと、同検出ホルダを上部区画内の所定の位置に係止するための係止部と、上部区画内の後方より前方に向かって検出ホルダを押圧するバネと、検出ホルダの背面とバネとの間に配設されて前後に摺動し、検出ホルダが上部区画に装着された時に、排出孔を塞いでいた下面が後方に移動して排出孔を開放する板状の押圧板とからなる構造とすることにより、
検出ホルダを押し込む動作とガス検出用の空気通路の切換とを１つの動作で行なうことができる。また、検出ホルダの係止が解除された時に、検出ホルダの前面が所定の寸法だけ突出するため、検査の終了を目視で確認することができる。
【００２２】
請求項３に係わる発明は、検出ホルダに、検出ホルダの上下面または側面に検出部を挿入するための挿通孔を備え、検出部が検出ホルダに着脱自在にしてなる構造により、検出ホルダを取り外すことなく、検出部を交換することができる。
【００２３】
請求項４に係わる発明は、係止部を、検出ホルダの上下面または側面に設けた係合穴と、上部区画に設けられて係合穴と対応し、ソレノイドの通電により係合穴との係止が解除される係止爪とで構成することにより、検出ホルダの所定位置への固定と制御部が決定する所定時間での解除が簡単な構造で実現できる。
【００２４】
請求項５に係わる発明は、検出部に、検出紙の反応色と対応し、概略のガス濃度を示す色見本を備えることにより、ホルムアルデヒドのガス濃度を簡単に知ることができる。
【００２５】
【図面の簡単な説明】
【図１】本発明による空気清浄機の一実施例を示す（Ａ）は外観斜視図であり、（Ｂ）はその断面図である。
【図２】本発明による空気清浄機の一実施例を示す要部断面図である。
【図３】本発明による検出部と検出ホルダを示す斜視図である。
【図４】従来の空気清浄機を示す（Ａ）は外観斜視図であり、（Ｂ）はその断面図である。
【符号の説明】
１  吸込口
２  吹出口
３  表示部
４  集塵フィルター
５  送風ファン
６  ファンモータ
１０  仕切板
１０ａ  吸入孔
１１  後部区画
１２  前部区画
１３  第二仕切板
１３ａ  排出孔
１４  下部区画
１５  上部区画
２０  ガス検出装置
２１  検出部
２１ａ  枠体
２１ｂ  検知紙
２１ｃ  フイルム
２１ｄ  色見本
２２  検出ホルダ
２２ａ  取入口
２２ｂ  通風孔
２２ｃ  挿通孔
２２ｄ  溝
２２ｅ  係合穴
２３  係止部
２３ａ  ソレノイド
２３ｂ  係止爪
２３ｃ  スプリング
２４  バネ
２５  押圧板
２６  光センサ
【図１】
2004239536.tif 000003
【図２】
2004239536.tif 000004
【図３】
2004239536.tif 000005
【図４】
2004239536.tif 000006